(57)【要約】【課題】ＯＦＤＭＡ方式特有のシンボル間干渉を低減することができる移動局および受信タイミング調整方法を提供する。【解決手段】移動局は、直交周波数分割多元接続方式を採用する複数の基地局のそれぞれから送信される無線信号の受信品質を測定し、複数の基地局のそれぞれから送信される無線信号の伝搬遅延時間を推定し、複数の基地局のうち前記受信品質が所定品質以上である基地局の何れかを接続先として選択し、複数の基地局のうち、選択された基地局の干渉源となりうる他の基地局を検出し、干渉源となりうる他の基地局が検出された場合に、選択された基地局における伝搬遅延時間と、他の基地局における伝搬遅延時間に基づいて、選択された基地局からの無線信号を受信する受信タイミングを調整する。【選択図】図１
2011135263.tif 000002
【特許請求の範囲】
【請求項１】
直交周波数分割多元接続方式を採用する複数の基地局のそれぞれから送信される無線信号の受信品質を測定する測定手段と、
前記複数の基地局のそれぞれから送信される無線信号の伝搬遅延時間を推定する推定手段と、
前記複数の基地局のうち前記受信品質が所定品質以上である基地局の何れかを接続先として選択する選択手段と、
前記複数の基地局のうち、前記選択された基地局の干渉源となりうる他の基地局を検出する検出手段と、
前記干渉源となりうる他の基地局が検出された場合に、前記選択された基地局における伝搬遅延時間と、前記他の基地局における伝搬遅延時間に基づいて、前記選択された基地局からの無線信号を受信する受信タイミングを調整する調整手段と、
を含むことを特徴とする移動局。
【請求項２】
請求項１に記載の移動局において、
前記推定手段は、前記複数の基地局のそれぞれから送信される無線信号の受信タイミングに基づいて、該無線信号の伝搬遅延時間を推定する、
ことを特徴とする移動局。
【請求項３】
請求項１に記載の移動局において、
前記推定手段は、当該移動局と前記複数の基地局のそれぞれとの距離を取得し、該距離に基づいて、前記複数の基地局のそれぞれから送信される無線信号の伝搬遅延時間を推定する、
ことを特徴とする移動局。
【請求項４】
直交周波数分割多元接続方式を採用する複数の基地局のそれぞれから送信される無線信号の受信品質を測定するステップと、
前記複数の基地局のそれぞれから送信される無線信号の伝搬遅延時間を推定するステップと、
前記複数の基地局のうち前記受信品質が所定品質以上である基地局の何れかを接続先として選択するステップと、
前記複数の基地局のうち、前記選択された基地局の干渉源となりうる他の基地局を検出するステップと、
前記干渉源となりうる他の基地局が検出された場合に、前記選択された基地局における伝搬遅延時間と、前記他の基地局における伝搬遅延時間に基づいて、前記選択された基地局からの無線信号を受信する受信タイミングを調整するステップと、
を含むことを特徴とする移動局の受信タイミング調整方法。
【発明の詳細な説明】
【技術分野】
【０００１】
本発明は、移動局および受信タイミング調整方法に関し、特に、周辺セルに起因する電波干渉を抑制する技術に関する。
【背景技術】
【０００２】
従来の移動通信システムでは、移動局が周辺基地局から送信される無線信号の受信品質に基づいて、接続先となる基地局を選択する。
【０００３】
たとえば、ＯＦＤＭＡ（Orthogonal Frequency Division Multiple Access：直交周波数分割多元接続）方式およびＴＤＭＡ／ＴＤＤ（Time Division Multiple Access/Time Division Duplex：時分割多元接続／時分割複信）方式を採用するＸＧＰ（eXtended Global Platform）では、移動局が、周辺基地局から送信される無線信号のＲＳＳＩ（Received Signal Strength Indication：受信信号強度）に基づいて、接続先となる基地局を選択する（非特許文献１参照）。
【０００４】
ところで、ＸＧＰのようにＯＦＤＭＡを採用する移動通信システムでは、ＯＦＤＭ信号の復調にＦＦＴ（Fast Fourier Transform：高速フーリエ変換）と呼ばれる冗長信号とデータ信号とからなる１シンボル分のＯＦＤＭ信号に対してＦＦＴを施すことによって、１つのシンボルデータが得られる。ただし、隣接する２シンボル分のＯＦＤＭ信号の境界をまたぐタイミングでＦＦＴを施すと、いわゆるシンボル間干渉（Inter Symbol Interference：ＩＳＩ）が発生して正しい復調が行えない。
【０００５】
そのため、移動局においては、接続した基地局から送信される無線信号の伝搬遅延時間に基づいて、基地局への無線信号の送信タイミングを調整している（たとえば特許文献１を参照）。これにより、基地局に近い移動局から送信される無線信号の受信タイミングと、基地局から遠い移動局から送信される無線信号の受信タイミングと、の時間差がＣＰ長（許容遅延時間）未満となり、シンボル間干渉の発生が抑制される。
【先行技術文献】
【特許文献】
【０００６】
【特許文献１】特開２００２−７７０８７号公報
【非特許文献】
【０００７】
【非特許文献１】“ARIB STD-95 Version 1.2「OFDMA/TDMA TDD Broadband Wireless Access System (Next Generation PHS)」”、平成２１年３月１８日、社団法人電波産業界
【発明の概要】
【発明が解決しようとする課題】
【０００８】
上記従来の移動通信システムでは、移動局から基地局への無線信号の際には、送信タイミングが調整されている。しかしながら、基地局から移動局への無線信号の送信において、送信タイミングの調整を行おうとすると、基地局に接続する同一送信タイミングで無線信号を送信する全ての端末に対する送信タイミングを調整する必要がある。そのため、基地局から移動局への無線信号の送信では、送信タイミングの調整がなされていない。また、移動通信システムでは、基地局からの無線信号の受信品質に基づいて移動局の接続先を決定するため、必ずしも移動局に近い基地局が接続先として選択されるとは限らない。例えば、近いが見通しの悪い基地局から送信される無線信号の受信品質よりも、遠いが見通しの良い基地局から送信される無線信号の受信品質の方が高い場合、移動局は、遠くの基地局を接続先として選択する。
【０００９】
そのため、ＯＦＤＭＡ方式を採用する移動通信システムでは、遠くの基地局に接続している移動局へ無線信号を送信する当該遠くの基地局が、周辺セルへのシンボル間干渉源となる場合がある。以下、この理由を図７、図８に基づいて説明する。
【００１０】
図７は、ＯＦＤＭＡ方式を採用する従来の移動通信システム５０を示す図である。図７に示すように、移動局５２−１，５２−２，５２−３は、基地局５４−１，５４−２，５４−３にそれぞれ接続しており、また、基地局５４−１〜５４−３のセル５６−１〜５６−３は、相互に重複しているものとする。また、基地局５４−１〜５４−３の間では、無線信号の送受信タイミングが同期しているものとする。
【００１１】
ここで、移動局５２−２は、移動局５２−２と基地局５４−１との間に位置する建物５８の影響で、移動局５２−２に近い基地局５４−１から送信される無線信号の受信品質よりも、移動局５２−２から遠い基地局５４−２から送信される無線信号の受信品質のほうが高いため、移動局５２−２は、基地局５４−２を接続先として選択している。
【００１２】
このとき、基地局５４−２から送信される無線信号は、移動局５２−２だけでなく移動局５２−１にも到達する。このため、基地局５４−２、移動局５２−１および移動局５２−２の位置関係によっては、図８に示すように、基地局５４−２から送信される無線信号の移動局５２−１における受信タイミングが、基地局５４−１から送信される無線信号の移動局５２−１における受信タイミングより、ＣＰ長以上遅くなる場合がある、この場合、移動局５２−１では、隣接する２シンボル分のＯＦＤＭ信号の境界をまたぐタイミングでＦＦＴを施すことになるため、ＯＦＤＭＡ方式特有のシンボル間干渉により雑音電力が発生してしまう。
【００１３】
このように、ＯＦＤＭＡ方式を採用する移動通信システムでは、遠くの基地局に接続している移動局へ無線信号を送信する当該遠くの基地局が、それより近くの基地局に接続している他の移動局の通信に対してシンボル間干渉源となる場合がある。
【００１４】
本発明は、上記課題に鑑みてなされたものであり、ＯＦＤＭＡ方式特有のシンボル間干渉を低減することができる移動局および受信タイミング調整方法を提供することを目的とする。
【課題を解決するための手段】
【００１５】
上述した諸課題を解決すべく、第１の発明による移動局は、直交周波数分割多元接続方式を採用する複数の基地局のそれぞれから送信される無線信号の受信品質を測定する測定手段と、前記複数の基地局のそれぞれから送信される無線信号の伝搬遅延時間を推定する推定手段と、前記複数の基地局のうち前記受信品質が所定品質以上である基地局の何れかを接続先として選択する選択手段と、前記複数の基地局のうち、前記選択された基地局の干渉源となりうる他の基地局を検出する検出手段と、前記干渉源となりうる他の基地局が検出された場合に、前記選択された基地局における伝搬遅延時間と、前記他の基地局における伝搬遅延時間に基づいて、前記選択された基地局からの無線信号を受信する受信タイミングを調整する調整手段と、を含むことを特徴とする。
【００１６】
また、第２の発明による移動局は、前記推定手段は、前記複数の基地局のそれぞれから送信される無線信号の受信タイミングに基づいて、該無線信号の伝搬遅延時間を推定する、ことを特徴とする。
【００１７】
また、第３の発明による移動局は、前記推定手段は、当該移動局と前記複数の基地局のそれぞれとの距離を取得し、該距離に基づいて、前記複数の基地局のそれぞれから送信される無線信号の伝搬遅延時間を推定する、ことを特徴とする。
【００１８】
上述した諸課題を解決すべく、第４の発明による受信タイミング調整方法は、直交周波数分割多元接続方式を採用する複数の基地局のそれぞれから送信される無線信号の受信品質を測定するステップと、前記複数の基地局のそれぞれから送信される無線信号の伝搬遅延時間を推定するステップと、前記複数の基地局のうち前記受信品質が所定品質以上である基地局の何れかを接続先として選択するステップと、前記複数の基地局のうち、前記選択された基地局の干渉源となりうる他の基地局を検出するステップと、前記干渉源となりうる他の基地局が検出された場合に、前記選択された基地局における伝搬遅延時間と、前記他の基地局における伝搬遅延時間に基づいて、前記選択された基地局からの無線信号を受信する受信タイミングを調整するステップと、を含むことを特徴とする。
【図面の簡単な説明】
【００１９】
【図１】本発明の実施形態に係る移動通信システムの構成を示図である。
【図２】本実施形態に係る移動通信システムにおける無線チャネル構成を示す図である。
【図３】本実施形態に係る移動局の機能ブロック図である。
【図４】本実施形態に係る移動局が情報を記憶する際のテーブルを示す図である。
【図５】図１に示す移動局１２−１における、基地局１４−１からの受信信号と、基地局１４−２からの受信信号と、ＦＦＴタイミングと、の関係の一例を示す図である。
【図６】本実施形態に係る移動局の受信タイミング調整処理を示すフロー図である。
【図７】ＯＦＤＭＡ方式を採用する従来の移動通信システムの構成を示す図である。
【図８】図７に示す移動局５２−１における、基地局５４−１からの受信信号と、基地局５４−２からの受信信号と、ＦＦＴタイミングと、の関係の一例を示す図である。
【発明を実施するための形態】
【００２０】
以下、本発明の一実施形態を図面に基づいて詳細に説明する。
【００２１】
図１は、本発明の実施形態に係る移動通信システム１０の構成を示す図である。図１に示すように、移動通信システム１０は、移動局１２（ここでは１つのみを示す）、複数の基地局１４（ここでは移動局１２の周辺に位置する基地局１４−１〜１４−３のみを示す）と、を含んで構成される。ここでは、基地局１４−１〜１４−３のセル１６−１〜１６−３が、相互に重複しているものとする。
【００２２】
基地局１４は、ＯＦＤＭＡ方式およびＴＤＭＡ／ＴＤＤ方式により自局のセル１６内に位置する移動局１２と無線通信を行う。なお、移動局１２としては、携帯電話機、通信カード、通信機能を内蔵した携帯情報端末などがある。
【００２３】
図２は、移動通信システム１０における無線チャネル構成を示す図である（縦軸：周波数、横軸：時間）。図２に示すように、移動通信システム１０では、所定周期（ここでは５ｍｓ）のＴＤＭＡフレームが上りサブフレーム（２．５ｍｓ）と下りサブフレーム（２．５ｍｓ）とに区分され、さらに各サブフレームがそれぞれ複数のタイムスロット（ここではＳｌｏｔ１〜Ｓｌｏｔ４）に均等に区分されている。基地局１４−１〜１４−３の間では、ＴＤＭＡフレーム（無線信号の送受信周期）の境界が所定時間内（たとえば±１０μｓ内）に収まるよう、無線信号の送受信タイミングが同期している（フレーム同期がなされている）。また、所定の周波数帯域の複数のＯＦＤＭＡサブチャネル（ここではＳｃｈ１〜Ｓｃｈ１８）が規定されている。
【００２４】
基地局１４が移動局１２に割り当てる無線チャネルの最小単位はＰＲＵ（Physical Resource Unit）と呼ばれ、各ＰＲＵは、タイムスロット（Ｓｌｏｔ１〜Ｓｌｏｔ４）のいずれかと、サブチャネル（Ｓｃｈ１〜Ｓｃｈ１８）のいずれかと、に属する。なお、上りサブフレームおよび下りサブフレームともに、各ＰＲＵが、１から始まる連続するＰＲＵ番号（１，２，３，・・・）で識別されるよう定められており、ＰＲＵ番号の同じＰＲＵは上下ペアで使用されることになっている。つまり、なお、ＰＲＵは上下対称に割り当てられる。
【００２５】
このうち、ある特定のサブチャネル（ここではＳｃｈ１）に属するＰＲＵは、１以上の移動局１２に共用されるＣＣＨ（Common Channel：共通チャネル）として規定されている。また、各基地局１４に対して、所定の周期で繰り返される互いに重複しないＣＣＨの送受信タイミング（以下単に「ＣＣＨタイミング」という）が割り当てられている。具体的には、連続する２０フレームに含まれる８０のタイムスロット対（４対の上下タイムスロット×２０フレーム）のいずれか１つがＣＣＨタイミングとして各基地局１４に割り当てられている。そして、各基地局１４は、自局に割り当てられたＣＣＨタイミングで、自局のセル１６内に位置する１以上の移動局１２と各種制御信号を送受信する。
【００２６】
一方、上記特定のサブチャネル以外のサブチャネル（ここではＳｃｈ２〜Ｓｃｈ１８）に属するＰＲＵは、各移動局１２に個別に割り当てられるＩＣＨ（Individual Channel：個別チャネル）として用いられる。ＩＣＨには、各移動局１２に個別制御チャネルとして原則１つ割り当てられ主に制御情報の伝送に用いられるＡＮＣＨ（Anchor Channel）、各移動局１２に通信チャネルとして１つ以上割り当てられ主に通信データの伝送に用いられるＥＸＣＨ（Extra Channel）などが含まれる。
【００２７】
移動局１２は、周辺の基地局１４（接続中の基地局１４を含む）のそれぞれから送信される無線信号を受信している。基地局１４から送信される無線信号には、ＣＣＨを介して送信されるＢＣＣＨ（Broadcasting Control Channel；報知制御チャネル）やＰＣＨ（Paging Channel：一斉呼出チャネル）、ＩＣＨを介して送信される制御信号や通信信号などがある。
【００２８】
そして、移動局１２は、受信された無線信号の伝搬遅延時間に基づいて、その無線信号の受信タイミングを推定する。そして、接続先として選択する基地局１４から送信される無線信号が、周辺の他の基地局１４から送信される無線信号の受信タイミングと重ならないように、受信タイミングを調整する。このため、移動通信システム１０では、移動局１２の通信を維持しながら、ＯＤＭＡ方式特有のシンボル間干渉を低減することができる。
【００２９】
以下では、上記処理を実現するために移動局１２が備える構成について具体的に説明する。
【００３０】
図３は、移動局１２の機能ブロック図である。図３に示すように、移動局１２は、アンテナ２０、受信ＲＦ部２２、受信ベースバンド部２４、受信品質測定部２６、伝搬遅延時間推定部２８、受信タイミング調整部３０、制御部３２、送信ベースバンド部３４、送信ＲＦ部３６、および記憶部３８を含んで構成される。
【００３１】
アンテナ２０は、周辺の基地局１４（接続中の基地局１４を含む）のそれぞれから送信される無線信号を受信し、受信された無線信号（受信信号）を受信ＲＦ部２２に出力する。また、アンテナ２０は、送信ＲＦ部３６から供給される無線信号を接続中の基地局１４または接続先となる基地局１４に対して送信する。
【００３２】
受信ＲＦ部２２は、低雑音増幅器、周波数変換器、帯域通過フィルタ、Ａ／Ｄ変換器を含んで構成される。受信ＲＦ部２２は、アンテナ２０から入力される無線信号を、低雑音増幅器で増幅した後、中間周波数信号にダウンコンバートし、さらにデジタル信号に変換してから、受信ベースバンド信号部２４に出力する。
【００３３】
受信ベースバンド部２４は、直並列変換器、ＦＦＴ（Fast Fourier Transform）部、並直列変換器、および復調部（図示せず）を含んで構成される。受信ベースバンド部２４は、受信ＲＦ部２２から入力されるデジタル信号に、直並列変換、ＣＰの除去、１次復調（高速フーリエ変換）、並直列変換、２次復調（シンボルデマッピング）などを施し、得られた受信データを上位レイヤ（図示せず）に出力する。
【００３４】
受信品質測定部２６は、受信ベースバンド部２４での１次復調（高速フーリエ変換）により得られる複素シンボル列に基づいて、周辺の基地局１４のそれぞれから送信される無線信号の受信品質を測定する。なお、基地局１４から送信される無線信号には、ＣＣＨ（共通チャネル）を介して送信されるＢＣＣＨ（報知制御チャネル）やＰＣＨ（一斉呼出チャネル）、ＩＣＨ（個別チャネル）を介して送信される制御信号や通信信号などがある、また、受信品質測定部２６で検出される回線品質には、ＲＳＳＩ（受信信号強度）、ＳＩＮＲ（Signal to Interference and Noise Ratio：信号対干渉および雑音電力比）、ＦＥＲ（Frame Error Rate：フレーム誤り率）などがある。
【００３５】
伝搬遅延時間推定部２８は、周辺の基地局１４のそれぞれから送信される無線信号の伝搬遅延時間を推定する。基地局１４から送信される無線信号には、フレーム同期用のトレーニングシンボル（既知信号）が含まれている。そこで、伝搬遅延時間推定部２８は、受信ベースバンド部２４での一次復調（高速フーリエ変換）により得られる複素シンボル列と、トレーニングシンボルと、の相関値を検出し、所定値以上の相関値が検出されたタイミングを、基地局１４から送信された無線信号の受信タイミングとして取得する。そして、伝搬遅延時間推定部２８は、取得された無線信号の受信タイミングに基づいて、その無線信号の伝搬遅延時間を推定する。
【００３６】
なお、伝搬遅延時間推定部２８は、移動局１２と周辺の基地局１４それぞれとの距離を取得し、その距離に基づいて、それら周辺の基地局１４のそれぞれから送信される無線信号の伝搬遅延時間を推定してもよい。移動局１２と基地局１４との距離は、たとえば、ＧＰＳ情報などに基づいて取得される移動局１２の位置および基地局１４の位置から算出される。
【００３７】
受信タイミング調整部３０は、受信品質測定部２６により測定される受信品質と、伝搬遅延時間推定部２８により推定される伝搬遅延時間と、に基づいて、周辺の基地局１４のいずれかを接続先として選択するとともに、選択した基地局１４から送信される無線信号が、他の基地局１４から送信される無線信号の受信タイミングと重ならないように、受信タイミングを調整する。
【００３８】
具体的には、まず、受信タイミング調整部３０は、予め所定の周期（たとえば２０フレーム周期）で、周辺の基地局１４における、受信品質測定部２６により測定される受信品質、および、伝搬遅延時間推定部２８により推定される伝搬遅延時間を取得している。そして、取得したこれらの情報を記憶部３８に記憶しておく。なお、記憶部３８には、これらの取得した情報に、周辺の各基地局１４の識別情報といった情報を加え、リスト（図４を参照されたい。）として記憶させておくことが望ましい。
【００３９】
そして、受信タイミング調整部３０は、通信を開始する際、例えば、移動局１２が発呼を行う際、接続先となる基地局１４を選択する。基地局１４の選択の際には、記憶部３８に記憶される、周辺の基地局１４の受信品質が所定品質以上である基地局１４のいずれかを接続先として選択する。ここでは、さらに、受信タイミング調整部３０は、記憶部３８に記憶される、周辺の基地局１４の伝搬遅延時間のうち、遅延時間がＣＰ長（許容遅延時間）未満となるものを、選択基準としてさらに含めても良い。次に、受信タイミング調整部３０は、記憶部３８に記憶される伝搬遅延時間から、選択した基地局１４の受信タイミングを把握し、把握した受信タイミングで無線信号を受信する際に、干渉源となりうる他の基地局１４を検出する。干渉源となりうる他の基地局１４の検出は、記憶部３８に記憶される周辺の基地局１４の受信品質、および／または、伝搬遅延時間を用いる。そして、受信タイミング調整部３０は、干渉源となりうる他の基地局１４から送信される無線信号の受信タイミングと重ならないように、受信タイミングを調整する。
【００４０】
図５に受信タイミング調整部３０における受信タイミング調整の一例を示す。移動局１２は、基地局１４−１，１４−２から送信される無線信号を受信可能であり、各基地局に関連する情報を図４に示すようなリストとして記憶部３８に記憶している。受信タイミング調整部３０が通信を開始するにあたり、接続先として基地局１４−１を選択し、さらに、干渉源となる基地局とし、基地局１４−２を検出したとする。この場合、図５に示すように、基地局１４−２からの無線信号の受信タイミングが伝搬遅延時間の影響により、基地局１４−１からの無線信号の受信タイミング（Ａ）と重なっている。そのため、受信タイミング調整部３０は、推定される基地局１４−１からの伝搬遅延時間から基地局１４−１からの無線信号を受信できる受信タイミングを受信タイミング（Ｂ）のように調整する。これにより、基地局１４−２からの無線信号が、基地局１４−１からの無線信号の受信タイミングを重なることがないため、受信タイミングにおいてＦＦＴを施しても、シンボル間干渉を回避することが可能となる。
【００４１】
制御部３２は、移動局１２が通信を開始する際、受信タイミング調整部３０に接続先となる基地局１４を選択させるとともに、受信タイミングを調整するよう指示する。そして、受信タイミング調整部３０において選択された基地局１４、および、調整された受信タイミングにて、通信を行うよう、移動局１２の各部を制御する。
【００４２】
送信ベースバンド部３４は、直並列変換器、ＩＦＦＴ（Inverse Fast Fourier Transform）部、並直列変換器、および変調部（図示せず）を含んで構成される。送信ベースバンド部３４は、上位レイヤ（図示せず）から入力される接続中の基地局１４または接続先となる基地局１４宛ての送信データに、１次変調（シンボルマッピング）、直並列変換、２次変調（逆高速フーリエ変換）、ＣＰの付加、並直列変換などを施し、得られたデジタル信号を送信ＲＦ部３６に出力する。
【００４３】
送信ＲＦ部３６は、電力増幅器、周波数変換器、帯域通過フィルタ、およびＤ／Ａ変換器を含んで構成される。送信ＲＦ部３６は、送信ベースバンド部３４から入力されるデジタル信号を、アナログ信号に変換した後、無線信号にアップコンバートし、電力増幅器で送信出力レベルまで増幅してから、アンテナ２０に供給する。
【００４４】
記憶部３８は、受信タイミング調整部３０において、所定の周期（たとえば２０フレーム周期）で取得される、周辺の基地局１４における、識別情報、受信品質、および、伝搬遅延時間を記憶する。これらの情報を記憶する方法としては、図４に示されるように、リストとして記憶させておくことが望ましい。
【００４５】
次に、移動局１２の接続先選択、および、受信タイミング調整に関する動作の一例を説明する。
【００４６】
図６は、移動局１２の受信タイミング調整処理を示すフロー図である。ここでは、図１に示すように、移動局１２が、基地局１４−１，１４−２から送信される無線信号を受信可能であるものとする。
【００４７】
図６に示すように、移動局１２は、所定の周期（たとえば２０フレーム周期）で、その周辺に位置する基地局１４−１，１４−２のそれぞれから送信される無線信号のＳＩＮＲ（受信品質の１つ）を測定する（Ｓ１００）。また、移動局１２は、基地局１４−１，１４−２のそれぞれから送信される無線信号の伝搬遅延時間を推定する（Ｓ１０２）。
【００４８】
次に、移動局１２は、ユーザの操作等により、基地局１４と通信を開始する要求がなされたか否かを判定する（Ｓ１０４）。通信を開始する要求がなされた場合（Ｓ１０４：Ｙ）、Ｓ１０６に移行する。一方、通信を開始する要求がなされていない場合（Ｓ１０４：Ｎ）、Ｓ１００に移行する。
【００４９】
通信を開始する要求がなされた場合（Ｓ１０４：Ｙ）、移動局１２は、基地局１４−１，１４−２のうち、測定されたＳＩＮＲが所定値（通信を維持するために必要とされるＳＩＮＲの閾値）以上である基地局１４（ここでは、基地局１４−１）を選出する（Ｓ１０６）。次に、選出された基地局１４の受信遅延時間に基づく受信タイミングと、周辺の基地局１４（ここでは、基地局１４−２）の受信遅延時間の基づく受信タイミングとから、干渉源となりうる周辺の基地局１４を検出する（Ｓ１０８）。干渉源となりうる他の基地局（ここでは、基地局１４−２）が検出された場合（Ｓ１０８：Ｙ）、Ｓ１１０に移行し、一方、検出されない場合（Ｓ１０８：Ｎ）は、Ｓ１１２に移行する。
【００５０】
干渉源となりうる他の基地局が検出された場合（Ｓ１０８：Ｙ）、移動局は、接続する基地局１４から送信される無線信号の受信タイミングを調整する（Ｓ１１０）。このタイミング調整は、接続する基地局１４からの無線信号の伝搬遅延時間に基づき、その受信タイミング調整をＣＰ長（許容遅延時間）未満となるよう行う。そして、移動局１２は、接続する基地局１４と通信を開始し（Ｓ１１２）、本処理を終了する。
【００５１】
以上説明した移動通信システム１０によれば、移動局１２は、所定品質以上の通信品質が期待できる基地局１４を接続先として選択し、さらに干渉が生じないように受信タイミングを調整する。このため、ＯＦＤＭＡ方式特有のシンボル間干渉を低減することができる。
【００５２】
なお、本発明は、上記実施形態に限定されるものではない。
【００５３】
たとえば、本発明は、移動局１２が新規接続を行う場面に限らず、移動局１２がハンドオーバを行う場面にも適用可能である。
【符号の説明】
【００５４】
１０，５０  移動通信システム、１２，５２  移動局、１４，５４  基地局、１６，５６  セル、２０  アンテナ、２２  受信ＲＦ部、２４  受信ベースバンド部、２６  受信品質測定部、２８  伝搬遅延時間推定部、３０  受信タイミング調整、３２  制御部、３４  送信ベースバンド部、３６  送信ＲＦ部、３８  記憶部、５８  建物。
【図１】
2011135263.tif 000003
【図２】
2011135263.tif 000004
【図３】
2011135263.tif 000005
【図４】
2011135263.tif 000006
【図５】
2011135263.tif 000007
【図６】
2011135263.tif 000008
【図７】
2011135263.tif 000009
【図８】
2011135263.tif 000010